(57)【要約】【課題】特殊な部材や工程を追加することなく、容易にヨークを取り付けることができるとともに、前記ヨークの抜け止めを確実に行い、光ディスクを安定して挟着することができる光ディスク装置を提供する。【解決手段】スピンドルモータ１と、ターンテーブル２と、クランパ３とを有し、ターンテーブル２の円環溝２４に形成された係合凹溝２５の縦凹溝２５１にヨーク４の係合部４３を係合させ、軸方向に摺動させるとともに、最奥部に到達したときに横凹溝２５２方向にヨーク４を回転させ、フック部２５３を通過させて、ターンテーブル２にヨーク４を取り付ける光ディスク装置Ａ【選択図】図３
2007207369.tif 000002
【特許請求の範囲】
【請求項１】
光ディスクが載置されるターンテーブルと、前記ターンテーブルとの間で前記光ディスクを挟着するクランパとを備え、
前記ターンテーブルは、中央部に突設され前記光ディスクの中央部に形成された貫通孔を貫通するハブと、前記ハブの外周に配置され前記光ディスクが載置されるディスク載置部と、前記ハブの上部に設けられ上部が開口した円環状の円環溝と、前記円環溝に配置される鉄製のヨークとを有し、
前記クランパは、前記ディスク載置部と対向する光ディスク圧着部と、前記ヨークと対向する永久磁石とを有しており、
前記ヨークと前記永久磁石の吸引力で前記光ディスクを前記光ディスク載置部と前記光ディスク圧着部とで挟着し該光ディスクを回転させるとともにレーザ光を照射して情報を再生又は記録する光ディスク装置であって、
前記ヨークは、円筒形状の本体部と、前記本体部の下面の外周部に該本体部の中心を挟んで対称の位置に前記本体部の下面より突出する２個の突出部と、前記突出部の先端より前記本体部の外側に向かって伸びる係合部とを有し、
前記円環溝は、外側の内壁に前記係合部が係合するとともに摺動する係合凹溝を有しており、前記係合凹溝は中心軸と平行に上部開口から底面まで形成される縦凹溝と、前記縦凹溝の底面側の端部と連結し前記ターンテーブルの回転方向に伸びるとともに中心軸方向の幅が前記係合部の厚みより大きく形成されている横凹溝とを有しており、
前記横凹溝は前記縦凹溝との連結部の近傍に上面及び下面が先端に向かって互いに接近する傾斜を有するのこ歯状に形成されたフック部を有しているとともに、前記フック部の先端には前記係合部を格納できる空間が形成されており、
前記ヨークは前記係合部が前記円環溝の開口側より前記縦凹溝に係合された状態で軸方向に摺動され、該係合部が該縦凹溝の最奥部に到達した後にターンテーブルの回転方向に回動され、該係合部が前記フック部を通過し前記横凹溝の先端部に当接することで前記円環溝に取り付けられることを特徴とする光ディスク装置。
【請求項２】
中央部に突設され光ディスクの中央部に形成された貫通孔を貫通するハブと、前記ハブの外周に配置され前記光ディスクが載置されるディスク載置部と、前記ハブの上部に設けられ上部が開口した円環状の円環溝と、磁性体で形成され前記円環溝に配置されたヨークとを有するターンテーブルを備え、光ディスクを回転させるとともにレーザ光を照射して情報を再生又は記録する光ディスク装置であって、
前記ヨークは、円筒形状の本体部と、前記本体部より径方向外側に突出する形状を有し、等中心角度間隔で複数個備えられた係合部とを有し、
前記円環溝は、外側の内壁に前記係合部が係合するとともに摺動する係合凹溝を有しており、前記係合凹溝は中心軸と平行に上部開口から底面まで形成される縦凹溝と、前記縦凹溝の底面側の端部と連結し前記ターンテーブルの回転方向に伸びるとともに軸方向の幅が前記係合部の厚みより大きく形成されている横凹溝とを有しており、
前記横凹溝は前記縦凹溝の近傍に少なくとも上面が下面に接近したフック部を有しているとともに、前記フック部の先端には前記係合部を格納できる空間が形成されており、
前記ヨークは前記係合部が前記円環溝の開口側より前記縦凹溝に係合された状態で軸方向に摺動され、該係合部が該縦凹溝の最奥部に到達した後にターンテーブルの回転方向に回動され、該係合部が前記フック部を通過し前記横凹溝の先端部に当接することで前記円環溝に取り付けられることを特徴とする光ディスク装置。
【請求項３】
前記フック部は下面が先端に向かって前記上面に接近する傾斜を有するのこ歯状に形成されていることを特徴とする請求項２に記載の光ディスク装置。
【請求項４】
中央部に突設され光ディスクの中央部に形成された貫通孔を貫通するハブと、前記ハブの外周に配置され前記光ディスクが載置されるディスク載置部と、前記ハブの上部に設けられ上部が開口した円環状の円環溝と、磁性体で形成され前記円環溝に配置されたヨークとを有するターンテーブルを備え、光ディスクを回転させるとともにレーザ光を照射して情報を再生又は記録する光ディスク装置であって、
前記ヨークは、円筒形状の本体部と、前記本体部より径方向に飛び出す形状を有し、等中心角度間隔で複数個備えられた係合部とを有し、
前記円環溝は、外側の内壁に前記係合部が係合するとともに摺動する係合凹溝を有しており、前記係合凹溝は中心軸と平行に上部開口から底面まで形成される縦凹溝と、前記縦凹溝の底面側の端部と連結し前記ターンテーブルの回転方向又はその逆方向に伸びるとともに軸方向の幅が前記係合部の厚みより大きく形成されている横凹溝とを有しており、
前記横凹溝は前記縦凹溝の近傍に少なくとも上面が下面に接近し、前記下面が先端に向かって前記上面に接近する傾斜を有するのこ歯状に形成されたフック部を有しているとともに、前記フック部の先端には前記係合部を格納できる空間が形成されており、
前記ヨークは前記係合部が前記円環溝の開口側より前記縦凹溝に係合された状態で軸方向に摺動され、該係合部が該縦凹溝の最奥部に到達した後にターンテーブルの回転方向に回動され、該係合部が前記フック部を通過し前記横凹溝の先端部に当接することで前記円環溝に取り付けられることを特徴とする光ディスク装置。
【請求項５】
前記フック部は前記上面が先端に向かって下面に接近する傾斜を有するのこ歯状に形成されていることを特徴とする請求項２から請求項４のいずれかに記載の光ディスク装置。
【請求項６】
前記ヨークは前記本体部の下面の外周部に該本体部の中心として等中心角度間隔で複数個形成されるとともに前記本体部の下面より突出する突出部と、前記突出部の先端より前記本体部の外側に向かって伸びる係合部とを有することを特徴とする請求項２から請求項５のいずれかに記載の光ディスク装置。
【発明の詳細な説明】
【技術分野】
【０００１】
本発明は、光ディスクをターンテーブルに備えられたヨークとクランパに備えられた永久磁石の磁力による吸着力を用いて強固に挟着する光ディスク装置に関するものである。
【背景技術】
【０００２】
映像、音声等の情報の記録媒体として、レーザ光を照射することで情報を記録したり、読出したりすることができる光ディスクが利用されている。前記光ディスクとして、ＣＤ（Compact Disc）、ＤＶＤ（Digital Versatile Disc）等が広く用いられている。これら光ディスクを記録媒体とする光ディスク装置は、前記光ディスクを回転させ該光ディスクの記録面にレーザ光を照射することで、前記光ディスクに予め記録されている情報を読み出したり、記録可能な光ディスクに情報を記録したりする。
【０００３】
前記光ディスク装置は、前記光ディスクを回転させその回転している光ディスクにレーザ光を照射するものであり、前記光ディスクを回転させる光ディスク駆動機構を備えている。前記光ディスク駆動機構は前記光ディスクの中心を、磁力を用いて上下より挟着し回転することで、該光ディスクを回転させるものである。
【０００４】
図１２に従来の光ディスク装置に用いられているディスク駆動機構の一例の断面図を示す。図１２に示すように、光ディスク装置Ｂのディクス駆動機構は、トラバースシャーシＴｃに固定される駆動モータ９１と、駆動モータ９１の出力軸に取り付けられるターンテーブル９２と、ターンテーブル９２に対向して配置されるクランパ９３とを有している。
【０００５】
ターンテーブル９２は樹脂の一体成形で形成されるものであり、中心に駆動モータ９１の出力軸に外嵌固定される軸孔９２１と、軸孔９２１の周囲に形成され、後述するクランパ９３の挿入孔９３１に挿入されるハブ９２２と、ハブ９２２の外周に配置され、光ディスクＤｓを載置するためのディスク載置部９２３とを有している。
【０００６】
ハブ９２２はクランパ９３と対向する面の中央部に円環溝９２４が形成されている。円環溝９２４には円環形状を有する鉄製のヨーク９４が挿入される。また、円環溝９２４の底面には中心軸を中心として等中心角度間隔に３個（中心角度１２０°）のボス９２５が形成されている。
【０００７】
クランパ９３は図示を省略したメインシャーシに回動可能に取り付けられている。ターンテーブル９２と対抗する面はターンテーブル９２のディスク載置部９２３と光ディスクＤｓを挟持するためのディスク圧着部９３２と、中央部にターンテーブル９２のハブ９２２が挿入される挿入孔９３１が形成されている。挿入孔９３１の底面には永久磁石９３３が挿入され、強固に固定されている。
【０００８】
図１２に示すように、ヨーク９４にはボス９２５が貫通するためのボス孔９４１が形成されており、ボス孔９４１の円環溝９２４の底面と反対側の端部には樹脂留め部９４２が形成されている。樹脂留め部９４２はボス孔９４１の他の部分よりも大きな内径を有するものである。
【０００９】
ヨーク９４はボス孔９４１がボス９２５に貫通されるように円環溝９２４に配置し、ボス９２５のボス孔９４１より突出した部分を加熱し溶融させるとともに、樹脂留め部９４２に流入させ、冷却し硬化させる。ボス９２５の溶着によりヨーク９４が抜けるのを防ぐことができ、さらに、ヨーク９４が周方向に滑るのも防ぐことができる。
【００１０】
図１３に従来の光ディスク装置に用いられているディスク駆動機構の一例の断面図を示す。図１３に示すディスク駆動機構Ｃはヨーク９５の取り付け形状が異なっており、ボス及びボス孔が省略され、弾性係合部９２６が備えられている以外は図１２に示すディスク駆動機構Ｂと同じ構造を有しており、実質上同一の部分には同一の符号が付してある。
【００１１】
図１３に示すように、ディスク駆動機構Ｃのターンテーブル９２の環状溝９２４には中心軸を中心として等中心角度間隔に３個（中心角度１２０°）の弾性係合部９２６が形成されている。弾性係合部９２６は底部より伸びる弾性支持部９２７と、弾性支持部９２７の先端部に弾性支持部９２７と直交するように屈曲する屈曲部９２８とを有している係合部材である。また、ヨーク９５には円筒状の形状を有し、側周部に弾性係合部９２６が配置される配置溝９５１と、ヨーク９５の底部と反対側の面に屈曲部９２８と係合する係合凹部９５２が形成されている。
【００１２】
ヨーク９５は、配置溝９５１に弾性係合部９２６が軸方向に重なるように配置し、弾性支持部９２７を弾性変形させるとともに、ヨーク９５を環状溝９２４に挿入する。ヨーク９５が最も奥まで挿入されると、屈曲部９２８が係合凹部９５２と係合することで、ヨーク９５が抜けないように且つヨーク９５が周方向に滑らないようにターンテーブル２に取り付けることができる。
【００１３】
また、特開２００１−１４７６３号公報に記載の発明では回転部材の中央に凸設されたボス部の上面に設けられ、上部が開口した円形状の溝にクランプ用マグネットが配置されており、前記クランプ用マグネットの上面にシート層が接着結合されているものが示されている。前記シート層は前記マグネットの上面周辺部に隣接する前記ボス部上面にはみ出して接着されており、クランプ動作時に前記マグネットが剥離するのを低減している。
【００１４】
また、特開２０００−３５７３５３号公報に記載の発明では、回転テーブルのボス部の近接周囲にクランプ吸引用永久磁石を配置するための環状磁石収納穴を形成し、前記環状磁石収納穴の内壁に周溝を形成し、前記環状磁石収納穴の穴底にバックヨークを配置し、前記周溝にＯリングを嵌めて、前記バックヨークの上面周端部分を当て止めするものが示されている。前記バックヨークがＯリングによって当て止めされるので、該バックヨークは容易に抜けなくなる。
【特許文献１】特開２００１−１４７６３号公報
【特許文献２】特開２０００−３５７３５３号公報
【発明の開示】
【発明が解決しようとする課題】
【００１５】
しかしながら、図１２に示すように、ヨーク９４に形成されたボス孔９４１に、円環溝９２４に形成されるボス９２５を貫通させ、ボスを溶着することでヨーク９４をターンテーブル９２に取り付け固定する場合、ボス９２５を溶着するための樹脂熱溶着冶具が必要であり、製造装置が複雑になる。また、ボス９２５を溶着するための工程が必要であり、製造、組み立てに手間と時間がかかり、製造コストがかさむ。
【００１６】
また、図１３に示す光ディスク駆動機構Ｃのように、弾性係合部９２６でヨーク９５を係合し、ヨーク９５が抜けるのを防止するものの場合、弾性支持部９２７が弾性変形するとともに、屈曲部９２８でヨーク９５の係合凹部９５２と係合してヨーク９５の挿入及び抜け止めを行うので、弾性支持部９２７が弱い場合が多い。この場合、接着剤で固定することが多く、接着剤及び接着剤塗布機が必要であり、組み立ての手間及び時間が必要でありそれだけ、コストが高くなる。また、接着剤が硬化するときにヨーク９５０が傾いて取り付けられてしまったり、接着が不十分であってもわかりにくかったりする不具合も発生する。
【００１７】
特開２００１−１４７６３号公報に記載の発明では、回転部材に貼り付けるシート層が必要であるとともに、当該シート層を貼り付けるための接着剤、接着する工程が必要であり、それだけ、コストが高くなる。また、マグネットの取外しを行うときに、シート層を着脱する必要があり、手間がかかる。
【００１８】
また、特開２０００−３５７３５３号公報に記載の発明では、Ｏリングが必要であり、構成部材が増えるとともに、取り付け工程も必要であり、組み立てに時間と手間及びコストが必要となる。
【００１９】
また、光ディスクを高速回転させる場合、光ディスクを強固にクランプする必要があり、更に強固にヨーク又はマグネットを強固に固定しなくてはならず、それだけ、手間とコストが多くかかる。
【００２０】
そこで本発明は、特殊な部材や工程を追加することなく、容易にヨークを取り付けることができるとともに、前記ヨークの抜け止めを確実に行い、光ディスクを安定して挟着することができる光ディスク装置を提供することを目的とする。
【００２１】
また本発明は、特殊な道具を用いたり、部材を変形させる等の動作を実行したりせずに、ヨークを着脱することができ、それだけ、メンテナンス性の高い光ディスク装置を提供することを目的とする。
【課題を解決するための手段】
【００２２】
上記目的を達成するために本発明は、光ディスクが載置されるターンテーブルと、前記ターンテーブルとの間で前記光ディスクを挟着するクランパとを備え、前記ターンテーブルは、中央部に突設され前記光ディスクの中央部に形成された貫通孔を貫通するハブと、前記ハブの外周に配置され前記光ディスクが載置されるディスク載置部と、前記ハブの上部に設けられ上部が開口した円環状の円環溝と、前記円環溝に配置される鉄製のヨークとを有し、前記クランパは、前記ディスク載置部と対向する光ディスク圧着部と、前記ヨークと対向する永久磁石とを有しており、前記ヨークと前記永久磁石の吸引力で前記光ディスクを前記光ディスク載置部と前記光ディスク圧着部とで挟着し該光ディスクを回転させるとともにレーザ光を照射して情報を再生又は記録する光ディスク装置であって、前記ヨークは、円筒形状の本体部と、前記本体部の下面の外周部に該本体部の中心を挟んで対称の位置に前記本体部の下面より突出する２個の突出部と、前記突出部の先端より前記本体部の外側に向かって伸びる係合部とを有し、前記円環溝は、外側の内壁に前記係合部が係合するとともに摺動する係合凹溝を有しており、前記係合凹溝は中心軸と平行に上部開口から底面まで形成される縦凹溝と、前記縦凹溝の底面側の端部と連結し前記ターンテーブルの回転方向に伸びるとともに中心軸方向の幅が前記係合部の厚みより大きく形成されている横凹溝とを有しており、前記横凹溝は前記縦凹溝との連結部の近傍に上面及び下面が先端に向かって互いに接近する傾斜を有するのこ歯状に形成されたフック部を有しているとともに、前記フック部の先端には前記係合部を格納できる空間が形成されており、前記ヨークは前記係合部が前記円環溝の開口側より前記縦凹溝に係合された状態で軸方向に摺動され、該係合部が該縦凹溝の最奥部に到達した後にターンテーブルの回転方向に回動され、該係合部が前記フック部を通過し前記横凹溝の先端部に当接することで前記円環溝に取り付けられることを特徴とする。
【００２３】
この構成によると、前記ヨークの係合部を前記円環溝の縦凹溝に係合し、該ヨークを軸方向に摺動させた後、回動させることで前記ターンテーブルに前記ヨークを取り付けることができるので、特殊な形状、部材および冶具等を用いなくても、取り付けることができるので、前記ヨークの取り付けの手間と時間を大幅に省略することができる。
【００２４】
また、前記ヨークの係合部が前記フック部を通過するときには、前記フック部の上面及び下面が前記横凹溝の先端に近づくに従ってそれぞれ他方の面に接近する勾配を有するのこ歯状に形成されているので、段差を気にすることなく前記ヨークを回転することで、前記フック部を通過させ、該フック部に係合させることが可能である。これにより、前記ヨークの取り付けに必要な工数を削減することができ、光ディスク装置の製造コストを減らすことができる。
【００２５】
また、前記ヨークの係合部がフック部と係合することで、前記ターンテーブルの駆動開始時や、停止時に発生する慣性力によってヨークが抜けるのを抑制することができるとともに、該係合部が横凹溝の上面と当接することで抜け止めされるので、前記ヨークが回転したり、抜けたりすることで、光ディスクの挟着が不十分になるのを抑制することができる。
【００２６】
このことにより、前記光ディスクを安定して、円滑に回転させることができるので、情報の再生及び（又は）記録の精度の高い光ディスク装置を提供することが可能である。
【００２７】
上記目的を達成するために本発明は、中央部に突設され光ディスクの中央部に形成された貫通孔を貫通するハブと、前記ハブの外周に配置され前記光ディスクが載置されるディスク載置部と、前記ハブの上部に設けられ上部が開口した円環状の円環溝と、磁性体で形成され前記円環溝に配置されたヨークとを有するターンテーブルを備え、光ディスクを回転させるとともにレーザ光を照射して情報を再生又は記録する光ディスク装置であって、前記ヨークは、円筒形状の本体部と、前記本体部より径方向外側に突出する形状を有し、等中心角度間隔で複数個備えられた係合部とを有し、前記円環溝は、外側の内壁に前記係合部が係合するとともに摺動する係合凹溝を有しており、前記係合凹溝は中心軸と平行に上部開口から底面まで形成される縦凹溝と、前記縦凹溝の底面側の端部と連結し前記ターンテーブルの回転方向に伸びるとともに軸方向の幅が前記係合部の厚みより大きく形成されている横凹溝とを有しており、前記横凹溝は前記縦凹溝の近傍に少なくとも上面が下面に接近したフック部を有しているとともに、前記フック部の先端には前記係合部を格納できる空間が形成されており、前記ヨークは前記係合部が前記円環溝の開口側より前記縦凹溝に係合された状態で軸方向に摺動され、該係合部が該縦凹溝の最奥部に到達した後にターンテーブルの回転方向に回動され、該係合部が前記フック部を通過し前記横凹溝の先端部に当接することで前記円環溝に取り付けられることを特徴とする。
【００２８】
この構成によると、前記ヨークの係合部を前記円環溝の縦凹溝に係合し、該ヨークを軸方向に摺動させた後、回動させることで前記ターンテーブルに前記ヨークを取り付けることができるので、特殊な形状、部材および冶具等を用いなくても、取り付けることができるので、前記ヨークの取り付けの手間と時間を大幅に省略することができる。これにより、前記ヨークの取り付けに必要な工数を削減することができ、光ディスク装置の製造コストを減らすことができる。
【００２９】
また、前記ヨークの係合部がフック部と係合することで、前記ターンテーブルの駆動開始時や、停止時に発生する慣性力によってヨークが抜けるのを抑制することができるとともに、該係合部が横凹溝の上面と当接することで抜け止めされるので、前記ヨークが回転したり、抜けたりすることで、光ディスクの挟着が不十分になるのを抑制することができる。
【００３０】
このことにより、前記光ディスクを安定して、円滑に回転させることができるので、情報の再生及び（又は）記録の精度の高い光ディスク装置を提供することが可能である。
【００３１】
上記構成において、前記フック部は前記上面が先端に向かって下面に接近する傾斜を有するのこ歯状に形成されていてもよく、下面が先端に向かって前記上面に接近する傾斜を有するのこ歯状に形成されていてもよい。
【００３２】
上記目的を達成するために本発明は、中央部に突設され光ディスクの中央部に形成された貫通孔を貫通するハブと、前記ハブの外周に配置され前記光ディスクが載置されるディスク載置部と、前記ハブの上部に設けられ上部が開口した円環状の円環溝と、磁性体で形成され前記円環溝に配置されたヨークとを有するターンテーブルを備え、光ディスクを回転させるとともにレーザ光を照射して情報を再生又は記録する光ディスク装置であって、前記ヨークは、円筒形状の本体部と、前記本体部より径方向に飛び出す形状を有し、等中心角度間隔で複数個備えられた係合部とを有し、前記円環溝は、外側の内壁に前記係合部が係合するとともに摺動する係合凹溝を有しており、前記係合凹溝は中心軸と平行に上部開口から底面まで形成される縦凹溝と、前記縦凹溝の底面側の端部と連結し前記ターンテーブルの回転方向又はその逆方向に伸びるとともに軸方向の幅が前記係合部の厚みより大きく形成されている横凹溝とを有しており、前記横凹溝は前記縦凹溝の近傍に少なくとも上面が下面に接近し、前記下面が先端に向かって前記上面に接近する傾斜を有するのこ歯状に形成されたフック部を有しているとともに、前記フック部の先端には前記係合部を格納できる空間が形成されており、前記ヨークは前記係合部が前記円環溝の開口側より前記縦凹溝に係合された状態で軸方向に摺動され、該係合部が該縦凹溝の最奥部に到達した後にターンテーブルの回転方向に回動され、該係合部が前記フック部を通過し前記横凹溝の先端部に当接することで前記円環溝に取り付けられることを特徴とする。
【００３３】
この構成によると、前記ヨークの係合部を前記円環溝の縦凹溝に係合し、該ヨークを軸方向に摺動させた後、回動させることで前記ターンテーブルに前記ヨークを取り付けることができるので、特殊な形状、部材および冶具等を用いなくても、取り付けることができるので、前記ヨークの取り付けの手間と時間を大幅に省略することができる。これにより、前記ヨークの取り付けに必要な工数を削減することができ、光ディスク装置の製造コストを減らすことができる。
【００３４】
また、前記ヨークの係合部がフック部と係合することで、前記ターンテーブルの駆動開始時や、停止時に発生する慣性力によってヨークが抜けるのを抑制することができるとともに、該係合部が横凹溝の上面と当接することで抜け止めされるので、前記ヨークが回転したり、抜けたりすることで、光ディスクの挟着が不十分になるのを抑制することができる。
【００３５】
このことにより、前記光ディスクを安定して、円滑に回転させることができるので、情報の再生及び（又は）記録の精度の高い光ディスク装置を提供することが可能である。
【００３６】
上記構成において、前記ヨークは前記本体部の下面の外周部に該本体部の中心として等中心角度間隔で複数個形成されるとともに前記本体部の下面より突出する突出部と、前記突出部の先端より前記本体部の外側に向かって伸びる係合部とを有するものであってもよい。
【発明の効果】
【００３７】
本発明によると、特殊な部材や工程を追加することなく、容易にヨークを取り付けることができるとともに、前記ヨークの抜け止めを確実に行い、光ディスクを安定して挟着することができる光ディスク装置を提供することができる。
【００３８】
また本発明によると、特殊な道具を用いたり、部材を変形させる等の動作を実行したりせずに、ヨークを着脱することができ、それだけ、メンテナンス性の高い光ディスク装置を提供することができる。
【発明を実施するための最良の形態】
【００３９】
以下に本発明の実施形態を図面を参照して説明する。図１に本発明にかかる光ディスク装置の一例の斜視図を示す。図１に示すように光ディスク装置ＡはディスクトレイＴｒが、外装ハウジングＯｈのフロントパネルＦｐに設けられたスリット状の出入り口Ｓｔから、出入りできるように配置されている。
【００４０】
ディスクトレイＴｒが出入り口Ｓｔより光ディスク装置Ａの外部に排出されている状態で光ディスクを載置し、ディスクトレイＴｒを挿入することで光ディスクを再生／記録可能な領域に挿入（ローディング）する。また、ディスクトレイＴｒを光ディスク装置Ａより排出することで光ディスク装置Ａ内部に挿入されている光ディスクを排出（アンローディング）する。
【００４１】
図２に本発明にかかる光ディスク装置に用いられる光ディスク駆動機構の断面図を、図３に図２に示すターンテーブルの斜視図を、図４に本発明にかかる光ディスク装置の要部に用いられるターンテーブルのハブに形成される円環溝の内壁を中心軸より見た概略図を、図５に図３に示すハブに挿入されるヨークの平面図を、図６に図５に示すヨークの側面図を示す。図３に示す光ディスク装置Ａのディスク駆動機構は、トラバースシャーシＴｃの上に取り付けられたスピンドルモータ１と、スピンドルモータ１の出力軸１１に固定されるターンテーブル２と、ターンテーブル２と対向して配置されるクランパ３とを有している。
【００４２】
スピンドルモータ１は光ディスクＤｓに対して昇降自在に設けられているトラバースシャーシＴｃに固定されており、出力軸１１がトラバースシャーシＴｃに対して直交するように配置される。スピンドルモータ１は、それには限定されないが、ここでは、常に平面視（光ディスクＤｓのラベル面より見て）時計回りに回転するモータである。
【００４３】
ターンテーブル２は中央部に突設されたハブ２１と、ハブ２１の外周に配置される光ディスク載置部２２とを有している。ハブ１は光ディスクＤｓの中央に形成された貫通孔Ｄ１を貫通するものであり、光ディスク載置部２２は光ディスクＤｓの中央の記録層が形成されていない環状の透明部を記録面側から当接するものである。ハブ２１及び光ディスク載置部２２はそれには限定されないが、樹脂の一体成形で製造されるものである。また、ターンテーブル２には、スピンドルモータ１の出力軸１１に滑らないように嵌着する嵌着孔２３が中心軸Ｃに沿って形成されている。
【００４４】
図２、図３に示すように、ターンテーブル２のハブ２１は上面に、上部が開口し中心軸がターンテーブル２の中心軸Ｃと同一の円環溝２４が形成されている。また、嵌着孔２３は円環溝２４の底面２４０より、上部に向かって突出する突出部２３１を含んでいる。さらに、図２に示すように、ターンテーブル２のハブ２１には、クランパ３の後述する円形溝３１の底部に固定される永久磁石３１１との間で磁力による吸着力を発生するためのヨーク４が挿入される。
【００４５】
クランパ３は光ディスク装置Ａに、ターンテーブル２と対向するとともにターンテーブル２の中心軸と同一の軸周りに回動可能に配置される。クランパ３はターンテーブル２のハブ２１の先端が挿入される円形溝３１と、光ディスクＤｓの中心の透明部をラベル面側より当接し、ターンテーブル２との間で光ディスクＤｓを挟着する光ディスク圧着部３２とを有している。また、円形溝３１の底部には、円環形状の永久磁石３１１が強固に固定されている。
【００４６】
本発明の要部であるターンテーブルについて更に詳しく説明する。図２、３に示すように、ターンテーブル２のハブには、クランパ３の円形溝３１の底部に固定される永久磁石３１１との間で磁力による吸着力を発生するためのヨーク４が挿入される。ヨーク４は鉄等の磁性体をプレスにて打ち抜き及び折り曲げ加工したものであり、図５、図６に示す形状を有している。すなわち、ヨーク４は、円筒形状を有する本体部４１と、本体部４１の底面の外周部より下方に向かって伸びる突出部４２と、突出部４２の先端と連結し、本体部４１の径方向外側に突出する係合部４３とを有している。突出部４２及び係合部４３はそれには限定されないが、ここでは、本体部４１の中心軸に対して正対する位置に２個形成されるものである。本体部４２はハブ２１の円環溝２４の外側の内壁２４１の内径とほぼ同じ外径を有している。
【００４７】
図３に示すようにハブ２１の円環溝２４には、外側の内壁２４１の中心軸Ｃを挟んで対向する位置に、係合凹溝２５が形成されている。図４に示すように円環溝２４の外側の内壁２４１には、円環溝２４の開口部２４２から底面２４０まで伸びる縦凹溝２５１と、縦凹溝２５１の底面２４０との当接部より、ターンテーブル２の回転方向（図４に矢線Ａｒ１にて示す方向）に伸びる横凹溝２５２とを有している。
【００４８】
横凹溝２５２の軸方向の幅（上面と底面の距離）は前記ヨーク４の係合部４３の厚みに比べて十分大きく形成されている。横凹溝２５２の縦凹溝２５１と連結する部分の近傍に、形成されるフック部２５３が形成されている。フック部２５３は、先端に向かって（ターンテーブル２の回転方向に向かって）底面に近づく勾配の斜面を有するのこ歯状に形成された上面２５３１と、同様に、先端に向かって上面２５３１に近づく勾配の斜面を有するのこ歯状に形成された底面２５３２とを有している。また、横凹溝２５２のフック部２５３の更に先端はヨーク４の係合部４３が係合できる大きさに形成されている。
【００４９】
フック部２５３は図４に示すようにのこ歯状に形成されており、先端に近づくにしたがって上面２５３１と底面２５３２が近接するように形成されている。上面２５３１と底面２５３２が最も近接した位置であっても上面２５３１と底面２５３２との距離は、ヨーク４の係合部４３の厚みよりも大きくなるように形成されている。
【００５０】
ターンテーブル２の円環溝２４にヨークを挿入する手順を図４を参照して説明する。まず、ヨーク４の係合部４３を係合凹溝２５の縦凹溝２５１の開口部側より係合させる（図４中Ｐ１位置）。係合部４３と縦凹溝２５１とが係合した状態で、ヨーク４を円環溝２４の底面２４０方向に摺動させる。ヨーク４の係合部４３が縦凹溝２５１の最奥部に到達したとき（図中Ｐ２位置）に、ヨーク４全体をターンテーブル２の回転方向（図４中矢線Ａｒ１で示す方向）させる。このとき、係合部４３はフック部２５３の上部２５３１又は底部２５３２の斜面に沿って摺動し、フック部２５３を通過する。
【００５１】
フック部２５３を通過した係合部４３が横凹溝２５２の先端側最奥に当接する（図４中Ｐ３位置）まで、ヨーク４を回転させる。このように、係合部４３が横凹溝２５２の最奥に当接させることで、係合部４３がのこ歯状の底面２５３２の先端側と当接し（図４中Ｐ４位置）、ターンテーブル２の回転や、組付け時の操作等によって、ヨーク４にターンテーブル２の回転方向と逆方向に回す力が作用しても、係合部４３とのこ歯状の底面２５３２とが当接することで、ヨーク４の回転を抑制することができ、ヨーク４の抜け、回転等の移動を抑制することができる。
【００５２】
次に本発明にかかる光ディス装置で光ディスクを挟着するときを図４を参照して説明する。光ディスクＤｓをターンテーブル２及びクランパ３で挟着するときは、永久磁石３１１とヨーク４（主に本体部４１）との間の磁力による吸着力によって、ターンテーブル２の光ディスク載置部２２とクランパ３の光ディスク圧着部３２との間で光ディスクＤｓの透明部分を強固に挟着する（図２参照）。
【００５３】
このとき、ターンテーブル２の円環溝２４に配置されているヨーク４は、永久磁石３１１との間に発生する磁力による吸引力にて引っ張られており、係合部４３は横凹溝２５２の最奥部の上面に当接するように移動している（持ち上げられている、図４中Ｐ５位置にある）。この状態で、スピンドルモータ１に電力を供給して、ターンテーブル２を回転しても、係合部４３がフック部２５３ののこ歯状の上面２５３１と当接し、ヨーク４が抜ける方向に回転するのを防ぐことができる。
【００５４】
また、光ディスクＤｓの挟着を終える場合、トラバースシャーシＴｃをクランパ３からはなれる方向に駆動して挟着を終えるが、ヨーク４の係合部４３が横凹溝２５２の最奥部の上面に当接し（図４中Ｐ５位置）、引き離されるのでヨーク４がずれてしまったりまわってしまったりするのを抑制することができる。
【００５５】
図７に本発明にかかる光ディスク装置の要部の他の例の概略図を示す。図７に示すように、横凹溝２５２ｂのフック部２５３ｂの上面２５３１ｂだけがのこ歯状に形成されているものであってもよい。このように上面２５３１ｂにのみがのこ歯状に形成されるものであっても、光ディスクＤｓを挟着した状態でヨーク４が回転するのを抑止することができるとともに、ターンテーブル２を停止するときにヨーク４にかかるモーメントがターンテーブル４の回転方向であるため、ヨーク４が抜ける方向には回転しないので、ヨーク４が抜けたり、ずれたりするのを抑制することが可能である。また、図８に示すように上面２５３１ｃがのこ歯状に形成されていなくても、フック部２５３の上面２５３１ｃと底面２５３２ｃが近接し、ヨーク４が永久磁石３１１に吸引されたときに係合部４３をフックするように形成されていればよい。
【００５６】
また、図９に示す光ディスク装置のように、横凹溝２５２ｄをターンテーブルの回転とは反対方向に形成されていてもよい。この場合、ターンテーブルを停止するときにヨーク４にかかるモーメントがターンテーブルの回転方向であるため、ターンテーブルが停止するときにヨーク４が抜ける方向に力を受けるので、ヨーク４の抜け防止のため、フック部２５３ｄの底面２５３２ｃがのこ歯状に形成されている。この構成の場合、ヨーク４の取り付けが不十分であっても、ターンテーブル２を回転させるだけで、ヨーク４はその慣性力でターンテーブル２から見て、回転方向とは逆方向に回転し係合部４３が正規の配置場所に移動するので、ヨーク４の取付を完全に行うことができる。
【００５７】
図１０は本発明に示す光ディスク装置のさらに他の例の図である。図１０はヨークが挿入されたターンテーブルの平面図である。図１０に示すターンテーブル２は光ディスク載置部２２を省略している。図１０に示すように、ハブ２１及びヨーク５に目印Ｍｋ１、Ｍｋ２を付けておいてもよい。目印Ｍｋ１、Ｍｋ２はヨーク５を回転し、正規の取付位置に移動したときに相対する位置に形成されるものを例示できる。このような目印を形成しておくことで、ヨーク５の取付を確実に行うことが可能である。
【００５８】
以上のように、ヨークをハブに回転したり、抜けたりしないように取り付けることで、ターンテーブルとクランパによって光ディスクを確実に挟着することができ、それだけ、光ディスクの情報の記録又は再生を行うときの信頼性を高めることが可能である。
【００５９】
光ディスクＤｓを高速で回転させるときには光ディスクＤｓを強固に挟着しなくてはならない。そこで光ディスクＤｓを強固に挟着するため、図１１に示すように、ヨーク６の本体部６１の厚さを大きくし、本体部６１より直接係合部６２が径方向外側に向かって突出するものも、上述したターンテーブル２では円環溝２４に抜けないように保持することが可能である。このことにより、ターンテーブル及びヨークを用いて、光ディスクＤｓを高速で回転できる光ディスク装置を提供することができる。
【００６０】
上記実施例ではディスクトレイＴｒを利用して光ディスクＤｓをローディング又はアンローディングする光ディスク装置を例に説明しているが、それに限定されるものではなく、光ディスクを単体で開口部より挿入する（いわゆる、スロットイン）タイプの光ディスク装置にも採用することができる。また、これらに限定されるものではなく、光ディスクをターンテーブルとクランパで挟着することができるものを広く採用することができる。
【００６１】
また、本発明の光ディスク装置として、ターンテーブルにヨークを、クランパに永久磁石を配置したものが示されているが、それに限定されるものではなく、ターンテーブルに永久磁石が、クランパにヨークが取り付けられるものであってもよい。上述の実施例において、ターンテーブルとして樹脂の一体成形によって製造されるものが挙げられているがそれに限定されるものではなく、複数の部材からなり、組み合わせるもの、樹脂ではない材料より製造されるもの等、光ディスクを挟着することのできるものを広く採用することができる。
【００６２】
また、前記ヨークとしては鉄等の磁性体をプレス加工にて製造するものを挙げているがそれに限定されるものではなく、永久磁石との間で十分な磁力による吸引力を発生させることができるものを広く採用することが可能である。
【００６３】
上述した各実施例における特徴は単独で用いられても良く、可能である範囲において、複数の特徴を兼ね備えていてもよい。
【産業上の利用可能性】
【００６４】
本発明の光ヘッドは、ＤＶＤ、ＣＤ、ＬＤ等の光ディスクにレーザ光を照射して情報を読み出したり、書込み可能な光ディスクに情報を記録したりする光ディスク装置において適用することができる。
【図面の簡単な説明】
【００６５】
【図１】本発明にかかる光ディスク装置の斜視図である。
【図２】本発明にかかる光ディスク装置に用いられる光ディスク駆動機構の断面図である。
【図３】図２に示すターンテーブルの斜視図である。
【図４】図２に示すターンテーブルのハブに形成される円環溝の内壁を中心軸より見た概略図である。
【図５】図３に示すハブに挿入されるヨークの平面図である。
【図６】図５に示すヨークの側面図である。
【図７】本発明にかかる光ディスク装置の要部の他の例の概略図である。
【図８】本発明にかかる光ディスク装置の要部の他の例の概略図である。
【図９】本発明にかかる光ディスク装置の要部のさらに他の例の概略図である。
【図１０】本発明にかかる光ディスク装置の要部のさらに他の例の概略図である。
【図１１】本発明にかかる光ディスク装置の要部の他の例の概略図である。
【図１２】従来の光ディスク装置に用いられているディスク駆動機構の一例の断面図である。
【図１３】従来の光ディスク装置に用いられているディスク駆動機構の他の例の断面図である。
【符号の説明】
【００６６】
Ｄｓ  光ディスク
１  スピンドルモータ
２  ターンテーブル
２１  ハブ
２２  光ディスク載置部
２３  嵌着孔
２４  円環溝
２５  係合凹溝
３  クランパ
３１  円形溝
３２  光ディスク圧着部
４  ヨーク
Ｔｒ  トラバースシャーシ
【図１】
2007207369.tif 000003
【図２】
2007207369.tif 000004
【図３】
2007207369.tif 000005
【図４】
2007207369.tif 000006
【図５】
2007207369.tif 000007
【図６】
2007207369.tif 000008
【図７】
2007207369.tif 000009
【図８】
2007207369.tif 000010
【図９】
2007207369.tif 000011
【図１０】
2007207369.tif 000012
【図１１】
2007207369.tif 000013
【図１２】
2007207369.tif 000014
【図１３】
2007207369.tif 000015